Podtech/llm-jp-corpus-v4-ja_patent huggingface dataset:
(57)【要約】【課題】焼肉、焼魚介類、天ぷら、フライ等の、油の多い食品の減油低カロリー食品とその調理方法を提供する。【解決手段】肉や魚介類を焼く時に、５度前後の傾斜をつけた粗目の金網の上で調理する。天ぷらやフライは、揚げたものを同様にして再加熱調理する。本発明のこの調理方法によって食品より出た油は、その食品の表面を伝って、最下端で集まり油滴となって落ちる。傾斜をつけた穴のあいた鉄板等では、鉄板と食品の間に油が入り、そこで焼けるので焦げてしまいうまくいかない。本発明の調理方法では、減油低カロリー食品ができる。これは食品の油を効率よく油滴として落とすからである。いも天等は、半分以下のカロリーとなり、焼いもとほとんど同じカロリーとなる。又、味は調理前よりおいしくなる。本発明は、この様に５度前後の傾斜をつけた金網を利用した、減油低カロリー食品とその調理器具及び調理方法を提供する。【選択図】図１
2006025751.tif 000002
【特許請求の範囲】
【請求項１】
肉、魚介類、天ぷら、フライ等の油の多い食品を５度前後の傾斜のついた金網の上で加熱調理した、減油低カロリー食品とその調理器具及び方法を提供する。
【発明の詳細な説明】
【技術分野】
【０００１】
本発明は、焼肉、焼魚、天ぷら、フライ等の油を減らし、食品のカロリーを下げておいしく食べられる減油低カロリー食品と、その調理器具及び方法を提供する。
【背景技術】
【０００２】
従来、肉や魚介類等は、鉄板や金網の上で焼かれ、又は加熱されて、焼肉や焼魚等の食品となる。この時、食品の油の一部が一旦食品より出るが、食品に付いたまま加熱されるので焦げる原因となり、又、したたり落ちた油は熱源に付くと煙が出る。天ぷらやフライ等は、揚げ物の代表で、多くの油を吸収したままである。
【発明の開示】
【発明が解決しようとする課題】
【０００３】
本発明は、これらの欠点を無くして、食品の油を減らし、カロリーを下げておいしく食べることができる。
【課題を解決するための手段】
【０００４】
肉や魚を焼くときに、５度前後の傾斜をつけた金網の上で調理する。金網は食品の大きさにもよるがなるべく粗いほうが良い。天ぷらやフライは、揚げたものを５度前後の傾斜のついた金網の上で再加熱調理する。傾斜は調整式（０度〜１０度まで可変）でも、取換式（０度と５度前後の物を取り換える）でも良い。又、器具全体を傾斜できる様にしても良い。加熱調理する食品自身が傾斜していれば油を減らすことができる。これは、食品の表面を油が伝って流れる為で、食品の最下端より油滴として落ちる。本発明は、鉄板ではなく傾斜のついた金網を使用することが特徴であり、穴のあいた鉄板では、油が鉄板に付き焦げてしまいうまくいかない。
【発明の効果】
【０００５】
本発明によれば、肉や魚、天ぷらやフライ等の油を多く含む食品の減油が簡単にでき食品のカロリーを下げて、おいしく食べられる。金網につく油も少ない為、焦げることも少なく、又、落ちた油が熱源について煙を出したり、熱源を傷めたりすることもない。例えばさつまいも天、１個・１２０グラム・３２６Ｋｃａｌを本発明の減油調理すれば、１個・１００グラム・１４６Ｋｃａｌとなり１８０Ｋｃａｌ・油２０グラム分、減油でき、ヘルシーいも天ができる。この時の食感は、カリカリ感がでて調理前よりもおいしくなる。
【発明を実施するための最良の形態】
【０００６】
焼肉や焼魚を調理するときに、５度前後傾斜をつけた金網の上で焼く。穴のあいた鉄板では不都合である。天ぷらやフライは調理してあるものを５度前後傾斜をつけた金網の上で再加熱調理する。これらにより、食品からにじみ出た油は、その食品を伝って最下端で集まり下に落ちる。本発明の減油調理すれば、１２０グラムのいも天  １個・３２６Ｋｃａｌが、半分以下の１４６Ｋｃａｌとなり、焼いも１００グラム・１３４Ｋｃａｌとほとんど変わらない低カロリーいも天ができる。
【実施例１】
【０００７】
以下、本発明の実施例について説明する。
焼肉や焼魚を調理する際に、図１の様に５度前後傾斜した金網（２）の上に食品（１）を置き加熱調理する。食品（１）からにじみ出た油は、その食品を伝って最下端で集まり、油滴（５）となって落ちる。天ぷらやフライ等も調理した物を同様に、本発明の方法で再加熱調理すれば、減油低カロリー食品ができる。図１では金網（２）に傾斜をつけたが、図４の様に調理器具全体に傾斜をつけてもかまわない。
【実施例２】
【０００８】
焼肉店等の様に、人が対面して着座する場合は図２の様に金網（２）を山形状とし、各々５度前後の傾斜をつけると、油滴（５）は両端より落ちる。又、図３の様に、金網（２）を谷形状とした場合は、油滴（５）は中央より落ちる。
【実施例３】
【０００９】
図４の様に調理器具全体を、傾斜調整ブラケット（６）によって５度前後傾斜をつけても効果は同様である。これは、ちょうど家庭用のオーブントースターに傾斜をつけたのと同じになる。
【実施例４】
【００１０】
図５、図６、図７の様に、調理器具は、通常のフライパンの上に、５度前後の傾斜を付けた金網（２）を設置し、既存のガスバーナー等の熱源（４）で加熱調理しても良い。
減油低カロリー焼金網である。
【図面の簡単な説明】
【００１１】
【図１】本発明の実施例を示す、断面図である。
【図２】本発明の実施例を示す、断面図である。
【図３】本発明の実施例を示す、断面図である。
【図４】本発明の実施例を示す、断面図である。
【図５】本発明の実施例を示す、断面図である。
【図６】本発明の実施例を示す、断面図である。
【図７】本発明の実施例を示す、断面図である。
【符号の説明】
【００１２】
１  肉、魚、天ぷら、フライ等の食品
２  加熱調理用の金網
３  油滴用オイルパン
４  ガスバーナー、電熱ヒーター、炭火等の加熱調理用熱源
５  食品から出た油滴
６  傾斜調整ブラケット
７  フライパン
【図１】
2006025751.tif 000003
【図２】
2006025751.tif 000004
【図３】
2006025751.tif 000005
【図４】
2006025751.tif 000006
【図５】
2006025751.tif 000007
【図６】
2006025751.tif 000008
【図７】
2006025751.tif 000009
(57)【要約】【課題】本発明は弾性表面波素子を用いた弾性表面波装置に関するものであり、弾性表面波装置の低背化を目的とする。【解決手段】特に、弾性表面波素子２とこれを実装する実装基板３とを備えた弾性表面波装置において、弾性表面波素子２に設けられる櫛形電極１１における弾性表面波の伝搬方向の延長線上においてバンプ５を櫛形電極１１の両外側に設けるとともに、実装基板３の線熱膨張係数を圧電基板１０の線熱膨張係数より小さく設定したのである。【選択図】図１
2006025183.tif 000002
【特許請求の範囲】
【請求項１】
圧電基板と櫛形電極と外部接続用のバンプとを有する弾性表面波素子と、前記バンプが接続される実装電極を主面に有する実装基板とを備え、前記バンプは前記櫛形電極における弾性表面波の伝搬方向の延長線上において前記櫛形電極の両外側に設けるとともに、前記実装基板の線熱膨張係数を前記圧電基板の線熱膨張係数より小さくしたことを特徴とする弾性表面波装置。
【発明の詳細な説明】
【技術分野】
【０００１】
本発明は、弾性表面波素子を用いた弾性表面波装置に関する。
【背景技術】
【０００２】
弾性表面波素子は圧電基板上に櫛形電極を設けた構成であり、密封パッケージ１用の基板に取り付けられることで櫛形電極の励振領域を確保された弾性表面波装置が形成される。
【０００３】
そして、弾性表面波素子を形成する圧電基板が熱により膨張することで、圧電基板上に設けられた櫛形電極の櫛幅が変化してしまい弾性表面波素子の電気特性を、ひいてはこの弾性表面波装置の電気特性に影響を及ぼしてしまうため、このような温度特性を抑制するため、従来、圧電基板の裏面に線熱膨張係数の小さい補強基板が張り合わされていた。
【０００４】
なお、この出願の発明に関する先行技術文献情報としては、例えば、特許文献１が知られている。
【特許文献１】特開２０００−１９６４１０号公報
【発明の開示】
【発明が解決しようとする課題】
【０００５】
しかしながら、圧電基板に補強基板を張り合わせることは、補強基板の作成や張り合わせ工程が別途必要なる上に、弾性表面波素子および弾性表面波装置の低背化の妨げとなっていた。
【０００６】
そこで本発明はこのような課題を解決し、温度特性に優れた低背な弾性表面波装置を提供するものである。
【課題を解決するための手段】
【０００７】
この目的を達成するために本発明は、特に、弾性表面波素子とこれを実装する実装基板とを備えた弾性表面波装置において、弾性表面波素子に設けられる櫛形電極における弾性表面波の伝搬方向の延長線上においてバンプを櫛形電極の両外側に設けるとともに、実装基板の線熱膨張係数を圧電基板の線熱膨張係数より小さく設定したのである。
【発明の効果】
【０００８】
この構成により、櫛形電極の励振領域における圧電基板の熱膨張をバンプ固定により抑制でき、補助基板を設けることなく温度特性が改善されるので、温度特性に優れた低背な弾性表面波装置を提供することができるのである。
【発明を実施するための最良の形態】
【０００９】
以下、本発明の一実施形態について図を用いて説明する。
【００１０】
図１は密封パッケージ１の内部に弾性表面波素子２が配置された弾性表面波装置を示したものであり、密封パッケージ１はＢａＯ−Ａｌ2Ｏ3−ＳｉＯ2系のセラミック材料で形成されたキャビティ構造の実装基板３とその開口部を密封する蓋体４を基本構造とし、キャビティ内部には弾性表面波素子２に設けられたバンプ５と接続される実装電極６が適宜設けられるとともに実装基板３の外表面に設けられた外部電極７と実装電極６とを接続するビアホール８が適宜設けられている。
【００１１】
また、実装基板３の開口端面及び蓋体４の内側面にはＡｕ−Ｓｎなどの金属体９が形成されており、これらを半田接続することで密封パッケージ１内の気密が保たれる。
【００１２】
一方、弾性表面波素子２はＬｉＴａＯ3系の圧電体材料からなる圧電基板１０の表面に図２に示されるような一対の櫛形電極１１からなるとその両側に設けられた反射器１２とで形成されるトランスデューサ１３を適宜接続したもので、ホット端子やグランド端子や支持端子などの実装基板３に接続を要する箇所にはパッド電極１４が設けられており、このパッド電極１４は図１に示されるようにＡｕなどで形成されるバンプ５を介して実装基板３に設けられた実装電極６に接続固定される構造となっている。
【００１３】
この構成によれば弾性表面波素子２が実装基板３に対してバンプ５を用いたフリップチップ実装された構成となり、通常、実装基板３を構成するセラミック系材料の線熱膨張係数（例えば上記ＢａＯ−Ａｌ2Ｏ3−ＳｉＯ2系のセラミック材料であれば約７ｐｐｍ）が圧電基板１０を構成する圧電体材料の線熱膨張係数（例えば上記ＬｉＴａＯ3系の圧電体材料であれば約１６．１ｐｐｍ）より小さいものであることから、熱膨張の少ない実装基板３上に熱膨張の大きい圧電基板１０がバンプ５により固定されることで、従来のもののように補強基板を設けることなく圧電基板１０の熱膨張が抑制され弾性表面波素子２の温度特性が改善されることとなる。つまり、先に述べた従来の構造に比べ補強基板を設けなくても済む分だけ弾性表面波素子２、ひいてはこの弾性表面波素子２を用いた弾性表面波装置を低背化できるのである。
【００１４】
また、この一実施形態における弾性表面波素子２に設けられるパッド電極１４の位置、すなわち弾性表面波素子２がバンプ５を介して実装基板３に接続される位置は、図２に示されるように個々のトランスデューサ１３を両側から挟み込む位置で、かつ、破線で示すトランスデューサ１３における弾性表面波の伝搬方向の延長線上に形成されており、トランスデューサ１３毎の励振領域における圧電基板１０の熱膨張がそれぞれ破線で示す弾性表面波の伝搬方向の両側をバンプ５により実装基板３に固定されるので、複数のトランスデューサ１３からなる弾性表面波素子２であっても、個々のトランスデューサ１３がほぼ同等の温度特性を一定のものとでき全体の温度特性を安定化させることができるのである。
【００１５】
なお、この実施形態においては弾性表面波素子２を構成する櫛形電極１１を用いたトランスデューサ１３として反射器１２を配置した構成を挙げて説明したが、この反射器１２は櫛形電極１１間の弾性表面波の伝搬効率を高めるために設けられたものであることから、本発明はこれに限定されるものではなく反射器１２の有無に関わらず同様の作用・効果を奏するものである。
【産業上の利用可能性】
【００１６】
本発明にかかる弾性表面波装置は、温度特性を維持した状態で低背化できるという効果を有し、特に携帯電話などのように低背化が要望される電子部品用途において有用である。
【図面の簡単な説明】
【００１７】
【図１】本発明の一実施形態における弾性表面波装置を示す断面図
【図２】同弾性表面波装置に用いられる弾性表面波素子の上面図
【符号の説明】
【００１８】
２  弾性表面波素子
３  実装基板
５  バンプ
６  実装電極
１０  圧電基板
１１  櫛形電極
【図１】
2006025183.tif 000003
【図２】
2006025183.tif 000004
(57)【要約】【課題】本発明は湖沼の水質に関係なく、湖沼から浄水を取出すことを課題とする。【解決手段】湖沼１内に容器２を設置し、該容器２内に浄水を貯留する。該容器２内の浄水は湖沼の水質の如何に関らず、比較的良好な水質を維持することが出来る。【選択図】  図１
2006144472.tif 000002
【特許請求の範囲】
【請求項１】
湖沼内に浄水を貯留した容器を設置したことを特徴とする浄水貯留構造。
【請求項２】
該容器の上端開口部には被覆が施されている請求項１に記載の浄水貯留構造。
【請求項３】
該容器には浄水源から浄水導入路が接続されている請求項１または２に記載の浄水貯留構造。
【発明の詳細な説明】
【技術分野】
【０００１】
本発明は湖沼内における浄水貯留構造に関するものである。
【背景技術】
【０００２】
湖沼内の水は、特に該湖沼が生活地域内にあるため池のような場合には、該水が汚染されて水質が悪化し、例えば消火用水として使用する時にはポンプやホースに浮遊物が詰まったりして不具合をきたす場合が多い。
従来、湖沼には近くの農業用水源、上水源、消火用水源等より上水を導入して湖沼内の水の水質悪化を防いでいる。（例えば特許文献１参照）。
【０００３】
【特許文献１】特開２００３−１９４９３号公報
【発明の開示】
【発明が解決しようとする課題】
【０００４】
しかし湖沼には周囲からの汚濁水の流入が必ずあり、また湖沼の底にも落葉等の堆積腐敗物等の有機汚染物質が存在し、湖沼内に浄水を導入しても、水質の悪化は根本的に防止出来ず、湖沼内の水は利用価値の低いものになってしまうと云う問題点がある。
【課題を解決するための手段】
【０００５】
本発明は上記従来の課題を解決するための手段として、湖沼１内に浄水Ｗ2 を貯留した容器２を設置した浄水貯留構造を提供するものである。
該容器２の上端開口部３には被覆５が施されていることが望ましく、また該容器２には浄水源から浄水導入路６が接続されていることが望ましい。
【発明の効果】
【０００６】
〔作用〕
容器２内の浄水Ｗ2 は、該容器２によって湖沼１内の水Ｗ1 とは隔離されているから、湖沼１内の水Ｗ1 が汚染されて水質が悪化しても、該容器２内の水Ｗ2 はその影響を受けず、比較的良い水質を保つことが出来る。
該容器２の上端開口部３に被覆５を施しておけば、容器２内に落葉、鳥の糞等の汚染物質が侵入することが防止出来る。
該容器２に浄水源から浄水導入路６を接続しておけば、該容器２内の水Ｗ2 は該浄水導入路６からの水で更新することが出来、良好な水質を維持する。
【０００７】
〔効果〕
本発明では、湖沼の水質如何に関らず、容器から比較的良い水質の浄水を取出すことが出来る。
【発明を実施するための最良の形態】
【０００８】
本発明を図１に示す一実施例によって説明すれば、１は湖沼であり、該湖沼１内の水Ｗ1 内には容器２が設置される。該容器２は例えばプラスチックシート製の袋状であり、上端開口部３周囲には浮輪４が取付けられ、該浮輪４によって該湖沼１内の水Ｗ1 中を浮遊状態にせしめられる。該容器２の上端開口部３にはプラスチックシート等による被覆５が施されており、また該容器２の上端には農業用水源、上水源、消火用水源等の浄水源より浄水導入路６および溢水路７が接続されている。
【０００９】
上記構成では、常時浄水導入路６から浄水Ｗ2 が容器２内に流入し、溢水路７から湖沼１内に溢水する。該容器２内の浄水を使用する時には、該溢水路７に管路を接続して該容器２内の浄水Ｗ2 を取出す。
【００１０】
図２には他の実施例が示される。本実施例では湖沼１１の水中にＦＲＰ製の角箱状容器１２が設置されており、該容器１２の上端開口部１３には蓋板１５が被覆され、該容器１２には浄水源より電磁バルブ１８を付した浄水導入路１６が接続され、更にポンプ１９を付した浄水取出路１７が接続されており、該容器１２内の最高水位Ｌ1 を検出するレベルセンサＳＬ1 と、最低水位Ｌ2 を検出するレベルセンサＳＬ2 とが挿入されている。
【００１１】
上記構成では、該容器１２内の水位が最低水位Ｌ2 になった時、電磁バルブ１８が開となって浄水導入路１６から浄水が容器１２内に補充され、最高水位Ｌ1 になった時、電磁バルブ１８が閉となって浄水の補充が中断する。該容器１２から浄水を取出す時には、浄水取出路１７のポンプ１９を作動させて浄水取出路１７から浄水を取出す。
【産業上の利用可能性】
【００１２】
本発明では湖沼に設置した容器から比較的良い水質の浄水を取出すことが出来、該浄水は消火用水、農業用水、冷却用水等に使用可能である。
【図面の簡単な説明】
【００１３】
【図１】本発明の一実施例の説明側断面図
【図２】本発明の他の実施例の説明側断面図
【符号の説明】
【００１４】
１，１１      湖沼
２，１２      容器
３，１３      上端開口部
５            被覆
６，１６      浄水導入路
７            浄水溢水路
１５          蓋板
１７          浄水取出路
Ｗ1           湖沼の水
Ｗ2           浄水
【図１】
2006144472.tif 000003
【図２】
2006144472.tif 000004
(57)【要約】【課題】  コンクリートと貫通孔に注入された充填材と、およびこの充填材と柱主筋とにそれぞれ十分な付着強度を確保することができる柱梁接合部材および柱梁接合構造を提供することである。【解決手段】  柱頭部に設置されて柱主筋を貫通させる貫通孔６を備えたプレキャストコンクリート製の柱梁接合部材１において、前記貫通孔６は上下両端部から中央部に向かって漸次小径に形成されたものである。【選択図】図１
2006144428.tif 000002
【特許請求の範囲】
【請求項１】
柱頭部に設置されて柱主筋が貫通する貫通孔を備えたプレキャストコンクリート製の柱梁接合部材において、前記貫通孔は上下両端部から中央部に向かって漸次小径に形成されたことを特徴とする柱梁接合部材。
【請求項２】
柱頭部にプレキャストコンクリート製の柱梁接合部材が設置され、柱主筋が柱梁接合部材の貫通孔に挿入された柱梁接合構造において、前記貫通孔は上下両端部から中央部に向かって漸次小径に形成され、かつ充填材が充填されたことを特徴とする柱梁接合構造。
【請求項３】
貫通孔に挿入された柱主筋には定着具が設置されたことを特徴とする請求項２に記載の柱梁接合構造。
【発明の詳細な説明】
【技術分野】
【０００１】
本発明は柱梁接合部材および柱梁接合構造に関するものである。
【背景技術】
【０００２】
近年、鉄筋コンクリート構造物における柱梁接合部は、施工の迅速化および簡略化のためにプレキャストコンクリート部材で構築される場合が多くなっている。これは、図４に示すように、プレキャストコンクリート柱１２または現場打ちコンクリート柱１２の頭部にプレキャストコンクリート製の柱梁接合部材１３を設置し、この柱梁接合部材１３のシース管１４による貫通孔１５に柱主筋１６が貫通されて構成されている。また、この他の柱梁接合部材としては、例えば特開２００４−７６３３６号公報の発明が知られている。
【特許文献１】特開２００４−７６３３６号公報
【発明の開示】
【発明が解決しようとする課題】
【０００３】
しかし、上記の柱梁接合部材は貫通孔がシース管で形成され、このシース管が側面における螺旋状の僅かな凹凸でコンクリートと付着しているために十分な付着強度を得ることができなかった。特に、近年の鉄筋コンクリート構造物の高層化に伴って、柱主筋に過大な応力が作用するためコンクリートとシース管、このシース管と貫通孔に注入される充填材、およびこの充填材と柱主筋との間に十分な付着強度を確保することが困難になってきている。また、居住性および眺望性に対する要求から梁せいが縮減される傾向にあり、付着を期待できる長さが小さくなるので、付着強度の確保が難しい状況になっている。
【０００４】
本発明は、上記のような問題に鑑みてなされたものであり、その目的は、コンクリートと貫通孔に注入された充填材と、またはこの充填材と柱主筋とにそれぞれ十分な付着強度を確保することができる柱梁接合部材および柱梁接合構造を提供することである。
【課題を解決するための手段】
【０００５】
以上の課題を解決するための手段は、柱頭部に設置されて柱主筋が貫通する貫通孔を備えたプレキャストコンクリート製の柱梁接合部材において、前記貫通孔は上下両端部から中央部に向かって漸次小径に形成されたことを特徴とする。
【０００６】
また柱頭部にプレキャストコンクリート製の柱梁接合部材が設置され、柱主筋が柱梁接合部材の貫通孔に挿入された柱梁接合構造において、前記貫通孔は上下両端部から中央部に向かって漸次小径に形成され、かつ充填材が充填されたことを特徴とする。また貫通孔に挿入された柱主筋には定着具が設置されたことを含むものである。
【発明の効果】
【０００７】
貫通孔は上下両端部から中央部に向かって漸次小径に形成されたことにより、この貫通孔に充填された充填材とコンクリートとの間に十分な付着強度を確保することができる。また柱梁接合部材をプレキャスト化することができるので、工期の短縮および品質の向上を図ることができ、施工効率の向上によるコストダウンも達成することができ、梁せいの縮減化や一層の高層化を図ることもできる。また定着具が貫通孔に挿入された柱主筋に設置されたことにより、柱主筋と貫通孔に注入された充填材との付着強度を十分に確保することができる。
【発明を実施するための最良の形態】
【０００８】
以下、本発明の柱梁接合部材および柱梁接合構造の実施の形態を図面に基づいて説明する。はじめに柱梁接合部材を説明し、その後に、この柱梁接合部材を使用した柱梁接合構造について説明するが、各実施の形態において同じ構成は同じ符号を使用して説明し、異なった構成は異なった符号を付して説明する。
【０００９】
図１および図２は第１の実施の形態の柱梁接合部材１であり、この柱梁接合部材１はプレキャストコンクリート製で、梁材２が十字状に交差して形成され、四本の梁材２の接合端部３には接合筋４が突設して構成されている。また、この梁材２の交差部５、すなわちパネルゾーンの箇所には柱主筋が挿入される貫通孔６が設けられ、この貫通孔６が上下両端部から中央部に向かって漸次小径、すなわち二つの円錐形が頂部で接合された形状、すなわち断面楔形になっている。そして、この貫通孔６にはモルタルなどの充填材７が充填され、かつ柱主筋８が挿入され、柱主筋８には鋼製のリングプレートなどの定着具９が設けられている。
【００１０】
なお、上記の柱梁接合部材１は十字状に限らず、Ｔ字状またはＬ字状であってもよく、またリングプレートなどの定着具９は設けなくてもよい。
【００１１】
したがって、図２に示すように、柱主筋８に上側への引張力が作用した場合は、充填材７が楔の役割をして引き抜けを防ぐとともに、柱主筋８に下側への引張力が作用した場合も同じ効果が生じる。このため充填材７と柱梁接合部材のコンクリート１０との付着強度を十分に確保することができる。
【００１２】
図３は柱梁接合構造１１であり、プレキャストコンクリート柱１１または現場打ちコンクリート柱１１の頭部に上記の柱梁接合部材１が設置されて構成されている。この柱梁接合部材１は、梁材２が十字状に交差して形成され、この梁材の交差部５に形成された貫通孔６に柱主筋８が挿入されている。そして、この貫通孔６に挿入された柱主筋８の下部、すなわち貫通孔６の下部にリングプレートなどの定着具９が溶接されて充填材７と柱主筋８との付着強度を十分に確保している。
【００１３】
なお、上記の柱梁接合部材１は十字状に限らず、Ｔ字状またはＬ字状であってもよく、またリングプレートなどの定着具９は設けなくてもよい。
【図面の簡単な説明】
【００１４】
【図１】柱梁接合部材の斜視図である。
【図２】柱梁接合部材の断面図である。
【図３】柱梁接合構造の断面図である。
【図４】（１）および（２）は従来の柱梁接合構造の断面図である。
【符号の説明】
【００１５】
１、１３  柱梁接合部材
２  梁材
３  接合端部
４  接合筋
５  交差部
６、１５  貫通孔
７  充填材
８、１６  柱主筋
９  定着具
１０  コンクリート
１１  柱梁接合構造
１２  プレキャストコンクリート柱  
１４  シース管
【図１】
2006144428.tif 000003
【図２】
2006144428.tif 000004
【図３】
2006144428.tif 000005
【図４】
2006144428.tif 000006
(57)【要約】【課題】この発明は、高齢者の動きを妨げることなく、脆弱化した上肢の皮膚保護を提供する。【手段】フィット感のあるストッキング生地を用い、指（４）の部分を除いた手の甲部（５）から上腕までを覆う手袋状の物である。  手掌部（６）は、フラットまたは、切り込み（３）を設ける。【選択図】図１
2006144205.tif 000002
【特許請求の範囲】
【請求項１】
フィット感のあるスットキング生地を用い、指の部分を除いた手の甲から上腕までを覆う手袋状の物。
【請求項２】
手掌部分に切り込みを設け、手を洗う時に容易に手の甲の部分をはずす事ができる請求項１記載の手袋状の物。
【発明の詳細な説明】
【発明の詳細な説明】
【技術分野】
【０００１】この発明は、高齢者の脆弱化した上肢の皮膚を保護するために用いる、手のストッキングに関するものである。
【技術の技術】
【０００２】従来、高齢者の脆弱化した上肢の皮膚を保護する目的の物は衣服程度の物しかなく、介護・看護を行う場面において、容易に皮膚損傷を起こしてしまう状況がみられた。
【発明が解決しようとする課題】
【０００３】現在、高齢者の脆弱化した上肢の皮膚を保護する物はほとんど見あたらない。衣服には皮膚保護の役目もあるが、脆弱化した皮膚に対しては、衣服による摩擦もまた皮膚損傷の原因となりうる場合がある。
また、上肢の動きの妨げとなる場合もある。本発明は、これらの問題点を解決し、上肢の皮膚保護ができるようになされたものである。
【課題を解決するための手段】
【０００４】フィット感のあるストッキング生地を用い、指（４）の部分を除いた手の甲部（５）から上腕までを覆う手袋状の物である。
手掌部（６）は、フラットまたは、切り込み（３）を設ける。
本発明は、以上の構成による皮膚保護用の手のストッキングである。
【発明を実施するための最良の形態】
【０００５】  以下、本発明の実施の形態を説明する。
（イ）指（４）の部分を除いた、フィット感のあるストッキング生地の手袋状の保護体（１）である。
（ロ）手の甲部（５）及び前腕・上腕部までストッキング生地で覆われ、上腕部の先端には滑り止め（２）を設ける。
（ハ）手掌部（６）は、手の甲部（５）同様、ストッキング生地で覆われるが、フラットまたは、切り込み（３）を設ける。
本発明は、以上の構成によりなる。
【発明の効果】
【０００６】この発明により、広範囲に渡り、上肢にかかる摩擦力を分散する事ができ、皮膚損傷を防ぐ事ができる。
また、ほとんど違和感がなく上肢にフィットするため、上肢の動きを妨げることがない。手洗いも容易に行える。
【図面の簡単な説明】
【図１】    本発明の表図の正面図
【図２】    本発明の裏図の正面図
【図３】    本発明の裏図の正面図
【符号の説明】
（１）保護体    （２）滑り止め    （３）切り込み    （４）指
（５）手の甲部    （６）手掌部
【図１】
2006144205.tif 000003
【図２】
2006144205.tif 000004
【図３】
2006144205.tif 000005
(57)【要約】【課題】  最初から手術創に触れる部分の肌着の場所の布を柔らかい素材の布で厚くし、クッション性をもたせ、しかもその部分に極力縫い目がないように、できれば全く縫い目がないように製作することで手術創部分の保護と保温ができる、やさしい肌着を実現する。【解決手段】  手術後に着用する柔らかく肌に刺激の少ない素材の肌着であって、手術創の当る部分の布地を厚くしクッション性をもたせてなる当部を設けてなることを特徴とする。【選択図】  図１
2006144204.tif 000002
【特許請求の範囲】
【請求項１】
手術後に着用する柔らかく肌に刺激の少ない素材の肌着であって、手術創の当る部分の布地を厚くしクッション性をもたせてなる当部を設けてなることを特徴とする術後用肌着。
【請求項２】
当部において、手術創の当る部分に縫い目を設けていないことを特徴とする請求項１記載の術後用肌着。
【発明の詳細な説明】
【技術分野】
【０００１】  本発明は、手術後に着用する肌着で、手術部分（手術創）への摩擦による痛みの防止と保温に優れた術後用肌着に関するものである。
【背景技術】
【０００２】  従来の技術としては、手術後の用品として保護帯が市販されている。
また、一般に市販されている肌着に収納ポケットを設けて厚みを持たせて患部を保護した構成のものがある。（特許文献１参照）
さらに、肌着の下に患部保護帯を装着することで患部の保護をする構成が開示されている。（特許文献２参照）
【特許文献１】  特開２００１−１２３３１１号公報
【特許文献２】  実開平７−３１７号          公報
【発明の開示】
【発明が解決しようとする課題】
【０００３】  上記前者の従来技術での手術後の用品の保護帯は、腰に巻きつけて前面を凹凸テープでとめるようになっている。これは装着しているうちに、ずれてくるし、座りにくい。さらに腰全体に巻くのでウエストまわりが、かなり太くなる。そのため、これまではいていたスカートやズボンがはきにくくなる。
上記中者や後者の特許は、手術創という複雑な形と広い範囲を想定したものでないため、収納ポケットでも患部保護帯でも縫い目やバンド部分が手術創部分に当ったり、それ以外の部分にも当り、肌の負担になる。また、どちらも複雑な手術創の位置には対応できない。【０００４】  本発明は、このような従来の構成が有していた問題点を解決しようとするもので、最初から手術創に触れる部分の肌着の場所の布を柔らかい素材の布で厚くし、クッション性をもたせ、しかもその部分に極力縫い目がないように、できれば全く縫い目がないように製作することで手術創部分の保護と保温ができる、やさしい肌着を実現することを目的とする。
【課題を解決するための手段】
【０００５】  そして、本発明は上記の目的を達成するために、最初から手術創に触れる部分の肌着の場所の布を肌にやさしい素材で厚みのあるクッション性をもたせたものにして、しかも手術創の当る部分に縫い目を作らないようにしてなる当部を設ける。また、当部を手術の種類による手術創部分の形状と場所の違いのすべてに対応できるやさしい肌着を製作することができる。
【発明の効果】
【０００６】  このように製作することにより、保護帯のずれや肌着の縫い目が手術創に当ることによる痛みから患者を解放することができる。
また、装着していることが外面的にわかりにくいので患者の精神的な負担も解消できる。
さらに、傷の状態が癒えてきた部分は順次作りかえることもできる。
【発明を実施するための最良の形態】
【実施例１】
【０００７】  以下、本発明の術後用肌着を図面に基づいて説明する。
術後用肌着１は、例えば婦人科手術で、腹部を縦方向に切開した場合の術後に使用するもので、ショーツ本体２の裏面における前面中央から後方にかけて、適宜厚みを有し、かつクッション性を有する綿等により加工された当部３を設けてなるもので、ウエスト部２ａはゴム紐等が望ましい。
なお、縫い目は当部３の両側に有するものとし、手術創に当らないものとする。
【実施例２】
【０００８】  また、別の実施例として、術後用肌着２１は、例えば心臓手術で、胸部を縦方向に切開した場合の術後に使用するもので、シャツ本体２２の裏面における前面中央（胸部）において、上記と同様な当部２３を設けてなるものである。【０００９】  なお、上記各実施例において、ショーツやシャツの形状、素材は特に限定するものではない。
また、当部の素材も綿がよいが、手術創に刺激がなければ他の素材でもよい。
さらに、当部の取り付け位置も、上記実施例に限定せず、手術創の位置に合わせて使用すればよい。
【図面の簡単な説明】
【００１０】
【図１】  本発明の第１実施例を示す術後用肌着の正面図。
【図２】  本発明の第１実施例を示す術後用肌着の背面図。
【図３】  本発明の第１実施例を示す術後用肌着の縦断側面図。
【図４】  本発明の第２実施例を示す術後用肌着の正面図。
【図５】  本発明の第２実施例を示す術後用肌着の縦断側面図。
【符号の説明】
【００１１】１−−−術後用肌着
２−−−ショーツ本体
２ａ−−ウエスト部
３−−−当部
【図１】
2006144204.tif 000003
【図２】
2006144204.tif 000004
【図３】
2006144204.tif 000005
【図４】
2006144204.tif 000006
【図５】
2006144204.tif 000007
(57)【要約】      （修正有）【課題】締めすぎず、楽に呼吸ができ、肌に適当な刺激を与えて心地がよく未熟な胸を発達促進させるエクサイトブラを提供する。【解決手段】吸湿性の良い素材を用いて、胸のトップはあらかじめ形良く尖らせて作って、アンダー前胸部に指が２〜３本入る位にして、横２〜３列の柔いレースまたはモールを付けて、動作のたびにかすかに肌を撫でるようにゆったりとしたものにする。【選択図】なし【特許請求の範囲】
【請求項１】
１、ブラジャーは吸湿性の優れた素材を用いて、乳首のトップはあらかじめ形良く尖らせて作っておき、前胸部下のアンダー部分は、指が何本か入る位ゆとりをもたせる。そこのアンダー部分に長短２〜３列の伸縮が効くレース又は、縦状の垂るもので身体の動作によってかすかにアンダーの肌を撫でる程度にする。肩にかかる左右のひもも伸縮性で調節できるようにする。アンダー部分又は磁器。
【発明の詳細な説明】
【発明の詳細な説明】
＜発明の属する技術分野＞下着ブラ
＜従来の技術＞
１．今日のブラは、綺麗だが厚手でなかなか身体に合わないし、締めて蒸れてしまう。特にワイヤー入りは、女性にとってはバストアップになるため装着しても辛い。日本女性の胸は小さい。
＜発明が解決しょうとする課題＞
１．女子は、成長期の十代から、ブラジャーの装着を余儀無くされ、締めつけのため血行が悪くなり、成長発達の妨げになる。体育時は、伸縮が効く止め具のないものを使用すれば良い。
日常は、人によって差はあるが成長発達の妨げになり過酷である。発明の内容は、締めすぎず楽に呼吸ができエクサイトブラが肌に適当な刺激を与えて心地がよくしかも未熟な胸を発達促進させる。磁器使用時は、少しだけポイント部分に限る
＜発明の実施形態＞
１．エクサイトブラ
2006144208.tif 000002
１．アンダーラインに付けた肌に刺激を与えるレース２〜３列又は垂るもの。又はポイント部分磁器使用。
【手続補正書】
【提出日】平成17年8月5日(2005.8.5)
【手続補正１】
【補正対象書類名】明細書
【補正対象項目名】全文
【補正方法】変更
【補正の内容】
【発明の詳細な説明】
【技術分野】
【０００１】・ノータオルエアーカーテン
・浴室の洗浄剤保管場所設置
・ペット用バストイレセット
・ペット用蚊屋
・耳オアシス
【図面の簡単な説明】
【０００１】
【図１】・風呂上がり、濡れた身体を乾かす所。丸い穴、送気管から心地良い風が送られて同時に除湿も効く。足下は、白癬菌が死滅する工夫がされている。
【図２】・天井、壁、床に送気口がある。人の左右に２機備えられたタイプも良い。
【図３】・四方から送気され、床は、細かいすのこ状になっている。掃除はやりやすくしておく。修理の時は、１台に分けられている方がやりやすい。
【図４】・これは、浴槽、真向い又はシャワー取り付けの真下、壁に凹をつけて、洗浄剤収納場所としたもの。
【図５】・浴室に作られた（市販のユニットバスを想定したもの）洗浄液保管場所は、大きなシャンプーやリンスは、容易に入る広さがある。
【図６】・左が内側、右の外側に向い凹がつけられた。ここへ洗浄液を立てて並べる。容器の底に水が溜らないように苦ふうする。
【図７】〔８・９〕・これは、ペット用バス、水洗トイレである。トイレを済ませたら自分でペダル又はレバーを踏んで流す。尻を汚してしまった時は、バスルームで身体を洗った後は、隣でノータオルエアーカーテンと同じ要領で自然に乾かす。脅かさないように心掛けて壁からは心身の安らぎをもたらすようにペットのために音楽をかけて流す。
【図１０】〔１１・１２〕・ペット水浴後の水除け、蚊屋に使用する。
【図１３】〔１４・１５〕・同じく、狭い場所にて、半円タイプを使用する。
【図１６】〔１７・１８〕・耳の角度調節器、音を上手く拾い集めるため、後方に添っている耳を横のあたりまでもってくるための器具である。物事を速く察知するのに耳を起こすことを起案。
【符号の説明】
【０００１】  １、床の冷・暖風口
２、天井に取り付けられた冷・暖風口管
３、除水滴兼冷・暖風口装置
４、バス本体
５、洗浄剤保管場所及び滑り止め
６、バスの底
７、ペット用風呂
８、ペット用水洗トイレ
９、水流し用ペダル
１０、遊び場所
１１、シャワー
【手続補正２】
【補正対象書類名】図面
【補正対象項目名】全図
【補正方法】変更
【補正の内容】
【図１】
2006144208.tif 000003
【図４】
2006144208.tif 000004
【図７】
2006144208.tif 000005
【図８】
2006144208.tif 000006
【図９】
2006144208.tif 000007
【図１０】
2006144208.tif 000008
【図１６】
2006144208.tif 000009
【手続補正書】
【提出日】平成17年10月17日(2005.10.17)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】・エクサイトブラ…女性の未熟な胸を発達促進させるためブラジャーにゆとりをもたせてアンダー部分に肌へ適当な刺激が加わるように考えたもの。
【図面の簡単な説明】
【０００１】
【図１】上から見たところでごく普通。
【図２】前から見るとアンダー部分がゆるみをもたせてモールのようなものをぶら下げてあるレース状も良い。
【図３】横から見るとアンダー部分が肌から離れて浮いた状態になる。
【符号の説明】
【０００１】１  アンダー前胸部分へレース又はモールを付けて垂下。
２  後側は上部を左右つなぎ安定させて、左右の肩ひもがずり落ちないようにしておく。背中は、吸湿性の良い素材を使用、又は、空ける。
【手続補正２】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
2006144208.tif 000010
【図２】
2006144208.tif 000011
【図３】
2006144208.tif 000012
(57)【要約】      （修正有）【課題】五本指靴下をお洒落に気にする人でも履けるような靴下を提供する。【解決手段】先端が足の各指を収納する指収納部となったソックスやストッキング等の足保護具と、足保護具に一部が接続された開閉式に指収納部全体を覆うカバー体よりなる。【選択図】図２
2006144203.tif 000002
【特許請求の範囲】
【請求項１】
先端が足の各指を収納する指収納部となったソックスやストッキング等の足保護具と、足保護具に一部が接続され開閉式に指収納部全体を覆うカバー体とよりなる指収納式足保護具。
【請求項２】
足の各指を収納する指収納部が連接した状態となるように構成されたつま先収納部材と、指全体を覆う指収納構造となったソックスやストッキング等の足保護具とより構成され、少なくとも一本の指収納部先端と足保護具のつま先裏面が接続されたものであることを特徴とする指収納式保護具。
【発明の詳細な説明】
【技術分野】
【０００１】本発明は、五本指靴下を二重構造にすることにより、よりお洒落に５本指靴下を履ける様にしたものである。
【背景技術】
【０００２】従来、５本指靴下は各指収納部が露出した形状のものであった。
【発明の開示】
【発明が解決しようとする課題】
【０００３】そのために、次のような問題点があった。
５本指靴下は足の健康にいいと思っていても、お洒落を気にして履けなかった。そこで、普通の靴下を重ね履きすることがあるが、面倒であったり、中でずれたりして快適な履き心地ではなかった。
本発明は以上の問題点を解決しようとするものである。
【発明を解決するための手段】
【０００４】靴下を二重構造に縫い合わせ、５本指部分を隠す構造よりなる。
【発明の効果】
【０００５】五本指靴下を履いている様に見えないので、お洒落を気にする人も気軽に五本指靴下が履ける様になる。また、二重構造になっているため、保温性が良く、足先の冷えにも効果的である。
【発明を実施するための最良の形態】
【０００６】以下、本発明の実施の状態について説明する。
本発明は図１に示すように、指収納具付ソックスと、つま先部分を覆う足保護具とより構成されている。
指収納具付ソックスはつま先部分が５本の足各指がそれぞれ収納される指収納部となっている。
つま先部分を覆う足保護具は図２に示すように、指収納具付ソックスの甲部分に接続されたものである。つま先部分を覆う足保護具の開口部にはゴムが配置され伸縮する伸縮部となっている。伸縮部に関しては、ゴム以外にも通常用いられる伸縮技術を利用したものであってもよい。
本発明は以上の構造よりなる。
これを使用するときは、指収納具付ソックスを指収納具に各指を収納するように装着する。
次に、図３に示すように、つま先部分を覆う足保護具を指収納具部分にかぶせる。
この際、開口部の伸縮部が締め付ける状態となり、足へのフィット感を向上させるとともに脱落を防ぐ役割をする。【０００７】以下、本発明の他の実施の形態を説明する。
本発明においては、図４に示すように、足カバー形状の足保護具と、指収納具とより構成されている。
足保護具は、足首または足首までの一部を覆うカバー形状であり、足を挿入する開口部は伸縮部となっている。
指収納具は図５に示すように、５本の足各指がそれぞれ収納される指収納部と、指収納部を連結した状態で足前部を覆う形状となっている。
足保護具を裏返した際は図５に示すように、足保護具と指収納具は、指収納具の先端と、足保護具の先端内面で接続されている。この際、接続部は各指の先端であってもよいが、親指と小指の先端など、全てを接続しなくても良い。
これを使用するときは、図６に示すように、指収納具に各指を収納するように装着し、裏返しに指収納具に接続されている足カバー形態の足保護具を表返す様に足部分に重ねて装着する。
【図面の簡単な説明】
【０００８】
【図１】本発明の分解図
【図２】本発明の装着前の図
【図３】本発明の装着後の図
【図４】本発明の分解図
【図５】本発明の装着前の図
【図６】本発明の装着後の図
【符号の説明】
【０００９】    １  指収納具付ソックス
２  足保護具
３  指収納具
４  連結部
５  足カバー
【図１】
2006144203.tif 000003
【図２】
2006144203.tif 000004
【図３】
2006144203.tif 000005
【図４】
2006144203.tif 000006
【図５】
2006144203.tif 000007
【図６】
2006144203.tif 000008
(57)【要約】【課題】  ズボンのウエストサイズが体型に合ってないものの調節を安価で、しかも容易に行える。【解決手段】  ２本のゴムひも４の両端部にベルト芯１をつないだものを布で覆い、そのベルト芯１に各々ボタンホール２を作り、そのやや内側にボタン３を取り付けズボンのベルト通し８を利用しウエストサイズの調節ができることを特徴とする。【選択図】  図１
2006144207.tif 000002
【特許請求の範囲】
【請求項１】
２本のゴムひもの両端部にベルト芯をつないだものを布で覆い、そのベルト芯部分に各々ボタンホールを作り、そのやや内側にボタンを取り付け、ズボンのベルト通しを利用することを特徴とするゴムベルト。
【請求項２】
前記ゴムベルトはズボンのベルト通しを利用しベルト同様にウエストの調節ができることを特徴とする請求項１記載のゴムベルト。
【請求項３】
前記ゴムベルトはベルト通しの付いているズボンであれば、容易にウエスト調節ができることを特徴とする請求項２記載のゴムベルト。
【発明の詳細な説明】
【技術分野】
【０００１】  本発明はズボンに付いたベルト通しを利用し伸縮性にてズボンのウエストサイズの調節ができることに関する。
【背景技術】
【０００２】  従来、市販の衣類は標準体型で作成されており、必ずしも個々の体系には合致しない。【０００３】  特に子供服の場合、少し大きめのサイズを購入する場合が多いがズボンの場合ウエストより脚の長さを基準に選択されると思われる。ズボンの裾は折りたたむことにより即対応できるがウエストは容易には調節できない。【０００４】  革ベルトの機能は伸縮性がなく手の不自由な方がズボンの上げ下ろしの際、手間取ることがあるため容易に上げ下ろしができ且つ、ずり落ちない機能を有するものはないか。【０００５】  ゴムベルトの機能は容易に脱着ができ、それぞれの体型に合わせズボンをウエスト部分からずり落ちないようにするものである。
【発明の開示】
【発明が解決しようとする課題】
【０００６】  上述の如く、従来市販のズボンは全ての消費者の体型に合致することは有り得ず、購入してから、どこかしら調節していると思われる。【０００７】  ゴムベルトは容易に脱着ができ、それぞれの体型に合わせズボンをウエスト部分からずり落ちないようにするものである。【０００８】  本発明は、このような点に鑑みて成されたものであり、その目的はウエスト部分に限られるが、安価で且つ容易にウエスト部分の調節を可能にすることにある。
【課題を解決するための手段】
【０００９】  上述の目的を達成する本発明のゴムベルトは２本のゴムひもの両端部にベルト芯をつないだものを布で覆い、そのベルト芯の部分に各々ボタンホールを作り、そのやや内側にボタンを取り付け、ズボンのベルト通しを利用することでウエストの調節ができることを特徴とする。【００１０】  一例として前記ゴムベルトは、ズボンに装着するときに腰側から左右のベルト通しを使用し、左右それぞれの最前列のベルト通しにボタンホールとボタンの間を巻き付けボタンホールにボタンを通し装着します。
【発明の効果】
【００１１】  以上説明したように本発明によれば、ズボンのベルト通しに取り付け、そのゴムベルトの伸縮性にてウエスト部分よりのずり落ちを防止することに極めて有効である。
【発明を実施するための最良の形態】
【００１２】  以下、本発明の実施の形態を図面に基づき詳細に説明する。【００１３】  図１は本発明の第一の実施の形態に係り、図１はその外観斜図、図２はその断面図、図３〜５はズボンに装着した図である。【００１４】  図２に示すように本ゴムベルトは２本のゴムひも４の両端部にベルト芯１をつなぎ、そのベルト芯１の外側にボタンホール２をそれぞれ作り、そのやや内側にボタン３をそれぞれ縫い付けたものである。【００１５】  また、外周と図２ゴムひも４の間に図１ステッチ７を入れることでゴムひもがよじれることを防止できる。【００１６】  図３ゴムベルトはベルト通し５を利用しベルトのようにウエスト部に巻きつけるのではなくベルト通し５の左右の最前列の２つにボタン３とボタンホール２の間を巻きつけボタンをとめて装着する。【００１７】  図３に示すようにズボンに装着の際、最前列のベルト通し５を主に利用するが手前のベルト通しも利用することによりウエストの締め付けの調節が可能である。【００１８】  以上、本発明の実施の形態を説明したが本発明の範囲はこれに限定されるものではない。例えばボタンの数ゴムの長さ、ゴムの強度、ベルト芯の素材等は状況に応じて適宜選択されるものである。
【図面の簡単な説明】
【００１９】
【図１】  本発明の第一の実施の形態に係るゴムベルトの外観斜図である。
【図２】  図１のゴムベルトの断面図である。
【図３】  図１をズボンに装着した正面の図である。
【図４】  図１をズボンに装着した側面の図である。
【図５】  図１をズボンに装着した背面の図である。
【符号の説明】
【００１７】  １、        ベルト芯
２、        ボタンホール
３、        ボタン
４、        ゴムひも
５、        ベルト通し
６、        布
７、        ステッチ
【図１】
2006144207.tif 000003
【図２】
2006144207.tif 000004
【図３】
2006144207.tif 000005
【図４】
2006144207.tif 000006
【図５】
2006144207.tif 000007
(57)【要約】【課題】本発明は様々な人の首回りにあう様、帯状で容易に変形するものを本体とし、市販のネクタイを本発明に結び付け、ワイシャツの襟元に挿入する要領で、着脱を容易にするためのネクタイ着脱具を提供する。【解決手段】本体を容易に変形する帯状のものにすることで、様々な人の首回りに合う様にし、襟元挿入部２を面取り加工することにより、ワイシャツの襟元へ挿入する時、円滑な挿入感を得るようにする。【選択図】  図１
2006144206.tif 000002
【特許請求の範囲】
【請求項１】
様々な人の首回りにあう様、帯状で容易に変形するものを本体とし、市販のネクタイを本発明の中央に図３及び図４の要領で結び付け、襟元挿入部２をワイシャツの襟元に挿入する要領で着脱を容易にするためのネクタイ着脱具。
【発明の詳細な説明】
【発明の詳細な説明】
【技術分野】
【０００１】本発明は帯状で容易に変形する本体にネクタイを結び付け、ワイシャツの襟元に挿入する要領で着脱することにより、市販のネクタイを切断及び、縫合する等の加工を施すことなく着脱を容易にするためのものである。
【背景技術】
【０００２】従来はワイシャツの襟元に挿入する要領で容易に着脱する方法はなかった。
【発明が解決しようとする課題】
【０００３】一般に市販されているネクタイをワイシャツに装着する場合、非常に手間が掛ると言う難点があった。本発明は、本発明に一度市販のネクタイを結び付けることで、この課題を解消するためになされたものである。
【課題を解決するための手段】
【０００４】本体を容易に変形する帯状のものにすることで、様々な人の首回りに合う様にした。本発明の襟元挿入部２を面取り加工することにより、ワイシャツの襟元へ挿入する時、円滑な挿入感を得るようにした。また、襟元挿入部２の首の当たる面にスポンジ材等によるクッション３を設け、ワイシャツの襟と本発明が位置ズレをしない様にした。更に、ネクタイ結び付け部４を設けることにより、本発明にネクタイを結び易く、且つ結び付けた後、本発明とネクタイが位置ズレをしない様にした。
【発明の効果】
【０００５】本発明のネクタイ結び付け部４にネクタイを結び付け、襟元挿入部２をワイシャツの襟元へ挿入する要領で着脱することで、市販のネクタイを切断及び縫合等の加工をせず使用することが出来る。また、装着時の外観も自然で、ワイシャツの第一ボタンを外していても容易に着脱出来る。更に、本発明を複数使用することで、複数のネクタイの着脱を容易にすることが出来る。
【図面の簡単な説明】
【０００６】
【図１】本発明の正面図である。
【図２】本発明の上面図である。
【図３】本発明にネクタイを結び付ける要領の説明図である。
【図４】本発明にネクタイを結び付ける要領の説明図である。
【符号の説明】
【０００７】１  ネクタイ着脱具本体
２  襟元挿入部
３  クッション
４  ネクタイ結び付け部
５  ネクタイ
６  大剣
７  小剣
【図１】
2006144206.tif 000003
【図２】
2006144206.tif 000004
【図３】
2006144206.tif 000005
【図４】
2006144206.tif 000006